(57)【特許請求の範囲】
【請求項１】
連続する段ボールシートを生産するコルゲートマシン内にロール原紙を繰り出すミルロールスタンドと、該ミルロールスタンドに対設配置されミルロールスタンドから繰り出されるロール原紙を紙継ぎするスプライサがそれぞれ複数台配設されるコルゲートマシンにおいて、
該各ミルロールスタンド及びスプライサに装填されているロール原紙のロール原紙残長又はロール原紙長と、該各ミルロールスタンド及びスプライサに装填されているロール原紙に対応するコルゲートマシンで生産される段ボールシートのロット残長又はロット長とから、所望の時点以降の該各ミルロールスタンド及びスプライサにおける未装填ロール原紙のうち最初に使用される未装填ロール原紙に紙継ぎを行うまでの原紙準備残長を算出して、
該原紙準備残長の算出結果値の短い順に基づいて各ミルロールスタンド部及びスプライサ部における該ロール原紙準備優先順を出力することを特徴とするコルゲートマシンのロール原紙準備優先順出力装置。
【請求項２】
前記原紙準備残長は、前記ミルロールスタンドに繰り出し中の供給ロール原紙のみが装填されている場合に、該供給ロール原紙残長と該供給ロール原紙に対応する現ロット残長のいずれか短い残長を原紙準備残長とする請求項１記載のコルゲートマシンのロール原紙準備優先順出力装置。
【請求項３】
前記原紙準備残長は、前記ミルロールスタンドに繰り出し中の供給ロール原紙と次に繰り出される待機ロール原紙とが装填されている場合に、該供給ロール原紙残長に対して該供給ロール原紙に対応する現ロット残長が長い場合に現ロット残長を原紙準備残長とする請求項１記載のコルゲートマシンのロール原紙準備優先順出力装置。
【請求項４】
前記原紙準備残長は、前記ミルロールスタンドに繰り出し中の供給ロール原紙と次に繰り出される待機ロール原紙とが装填されている場合に、該供給ロール原紙残長に対して該供給ロール原紙に対応する現ロット残長が短く、かつ該待機ロール原紙長に対して該待機ロール原紙に対応する次ロット長が短い場合に、現ロット残長と次ロット長を合算したロット長を原紙準備残長とする請求項１記載のコルゲートマシンのロール原紙準備優先順出力装置。
【請求項５】
前記原紙準備残長は、前記ミルロールスタンドに繰り出し中の供給ロール原紙と次に繰り出される待機ロール原紙とが装填されている場合に、該供給ロール原紙残長に対して該供給ロール原紙に対応する現ロット残長が短く、かつ該待機ロール原紙長に対して該待機ロール原紙に対応する次ロット長が長い場合に、現ロット残長と待機ロール原紙長を合算した残長を原紙準備残長とする請求項１記載のコルゲートマシンのロール原紙準備優先順出力装置。
【請求項６】
前記原紙準備残長は、前記ミルロールスタンドに繰り出し中の供給ロール原紙と次に繰り出される待機ロール原紙とが装填されている場合に、該供給ロール原紙残長に対して該供給ロール原紙に対応する現ロット残長が長く、かつ該待機ロール原紙長に対して該供給ロール原紙から該待機ロール原紙に対応する継続ロット残長が長い場合に、供給ロール原紙残長と待機ロール原紙長を合算したロール原紙長を原紙準備残長とする請求項１記載のコルゲートマシンのロール原紙準備優先順出力装置。
【請求項７】
前記原紙準備残長は、前記ミルロールスタンドに繰り出し中の供給ロール原紙と次に繰り出される待機ロール原紙とが装填されている場合に、該供給ロール原紙残長に対して該供給ロール原紙に対応する現ロット残長が長く、かつ該待機ロール原紙長に対して該供給ロール原紙から該待機ロール原紙に対応する継続ロット残長が短い場合に、現ロット残長を原紙準備残長とする請求項１記載のコルゲートマシンのロール原紙準備優先順出力装置。
【請求項８】
前記原紙準備残長を生産ロットに対する指定速度又は該指定速度の平均速度等で除じて原紙準備残時間を算出し、該原紙準備残時間の算出結果値の短い順に基づいて各ミルロールスタンド部及びスプライサ部でのロール原紙準備優先順を決定して、該ロール原紙準備優先順を出力する請求項１記載のコルゲートマシンのロール原紙準備優先順出力装置。
【発明の詳細な説明】
【０００１】
【発明の属する技術分野】
この発明は、段ボールシートを製造するコルゲートマシンに複数台設置されるミルロースタンドにおけるロール原紙準備優先順を演算して出力する装置に関するものである。
【０００２】
【従来の技術】
段ボールシートを生産するコルゲートマシン４０は、一般的に図９に示すような５台のミルロールスタンド４１ａ，４１ｂ，４１ｃ，４１ｄ，４１ｅにロール原紙Ｓ１１，Ｓ１２，Ｓ１３，Ｓ１４，Ｓ１５，Ｓ１６，Ｓ１７，Ｓ１８，Ｓ１９，Ｓ２０を装填して、該各ミルロールスタンド４１からロール原紙Ｓを繰り出して各スプライサ４２ａ，４２ｂ，４２ｃ，４２ｄ，４２ｅ，を経て、シングルフェーサ４４ａ，４４ｂで連続する片面段ボールシートを製造する。続いて、グルーマシン４５を経てコルゲートマシン４０の下流工程において図示しないダブルフェーサで連続する段ボールシートを製造し、同じくスリッタスコアラ４６，４７及びカッタ４８で生産ロットに準ずる所望の大きさに裁断、罫線、切断加工が行われる。そして、図示しないスタッカで各ロットごとに積み上げられ、製函工程や出荷工程に搬送される。
【０００３】
コルゲートマシン４０は、一般的に２種類の段種の段ボールシートを製造するように構成されることから、２台のシングルフェーサ４４ａ，４４ｂが設けられ、各シングルフェーサ４４ａ，４４ｂには段ボールシートの波形となる中芯用ロール原紙Ｓ１３，Ｓ１４，Ｓ１７，Ｓ１８を装填するミルロールスタンド４１ｂ，４１ｄと、シングルフェーサ４４ａ，４４ｂで波形に成形された中芯と貼合をさせるライナ用ロール原紙Ｓ１１，Ｓ１２，Ｓ１５，Ｓ１６を装填するミルロールスタンド４１ａ，４１ｃが各々設けられる。そして、シングルフェーサ４４ａ，４４ｂで生産される片面段ボールシートに図示しないダブルフェーサでバックライナを貼合させるバックライナ用ロール原紙Ｓ１９，Ｓ２０を装填する１台のミルロールスタンド４１ｅが設けられる。
【０００４】
さて、上述したコルゲートマシン４０において、ミルロールスタンド４１部には一般的に３名のオペレータが配置される。３名のオペレータは一人が主に上流側シングルフェーサ４４ａ用のミルロールスタンド４１ａ，４１ｂを担当し、一人は下流側シングルフェーサ４４ｂ用のミルロールスタンド４１ｃ，４１ｄを担当し、最後の一人はバックライナ用のミルロールスタンド４１ｅを担当している。そして、オペレータは生産ロットに応じて各スプライサ４２で紙継ぎが行われ、使用済みのロール原紙Ｓを排出した後に、次のロール原紙Ｓをミルロールスタンド４１に装填して、該ロール原紙Ｓの紙端部をスプライサ４２にセットする作業が行われている。この作業は特別な規則性があるものではなく、単に担当オペレータがそれぞれのミルロールスタンド４１部で紙継ぎが行われるごとにロール原紙Ｓの交換及びスプライサ４２へのセット作業を行っていた。
【０００５】
次に、ミルロールスタンド４１部及びスプライサ４２部でのロール原紙Ｓ交換及びセット作業は図１０に示すように、スプライサ４２でスプライスが完了するとオペレータは使用済みロール原紙Ｓを巻き戻して該原紙端部をテープ止めする。そして、当該使用済み原紙残長をロール原紙Ｓに直接書き込むか、当該原紙残長を記録したバーコードシールを貼り付ける等をする。そして、ロール原紙Ｓをミルロールスタンド４１から取り外し、使用済みロール原紙Ｓをミルロールスタンド４１の機外へと排出する。続いて、オペレータは次ロットのロール原紙Ｓをミルロールスタンド４１に装填してスプライサ４２にセットすべく、ミルロールスタンド４１の機外でいわゆる「皮むき」と呼ばれる作業である、汚れたり傷ついたりしているロール原紙Ｓの最外表部を除去する。該皮むき作業はロール原紙Ｓをミルロールスタンド４１に装填してから行う場合もある。続いて、次ロットのロール原紙Ｓをミルロールスタンド４１内に搬送するロール原紙台車に載せ、ロール原紙Ｓをミルロールスタンド４１内に搬入する。近年のミルロールスタンド４１はロール原紙Ｓがミルロールスタンド４１内に搬入されると、該ロール原紙Ｓを自動でチャッキングする手段が用いられている。続いて、ミルロールスタンド４１にロール原紙Ｓが装填完了すると、オペレータは当該ロール原紙Ｓの紙端部を繰り出し、当該紙端部をスプライサ４２のスプライサヘッド等の紙継ぎ部にセットする。そして、紙継ぎ時に当該ロール原紙Ｓの紙端部と現在繰り出し中の現ロットのロール原紙を圧接して接着するための両面テープ等の接着剤を付与する。そして、スプライスヘッドを紙継ぎ部にセットして一連の作業が完了する。ミルロールスタンド４１及びスプライサ４２部ではこれらの作業が紙替えごとに頻繁に行われており、これらの一連の作業は約２分程度かかることから、オペレータはこれらの作業に忙殺され、ミルロールスタンドでの作業やコルゲートマシン全体の運転状況までは見渡せない作業環境となっていた。また、追加オーダー等が発生したときは、該追加オーダーに伴う準備作業を余分に行わなければならず、さらに作業が煩雑になる。
【０００６】
次に、ミルロールスタンド４１の構成とロール原紙Ｓの関係について図１１を用いて説明する。ミルロールスタンド４１は一対の基台フレーム５１ａ，５１ｂ間に回動自在に軸支された回動軸５２，５５にそれぞれチャッキングアーム５３ａ，５３ｂ，５６ａ，５６ｂを摺動自在に設ける。該回動軸５２，５５の回動駆動源や該チャッキングアーム５３ａ，５３ｂ，５６ａ，５６ｂの摺動駆動源は一般的には図示しない油圧又はエアー系の流動媒体等を用いたアクチュエータや電動モータ等を用いた駆動系がそれぞれ独立的に採用される。そして、各チャッキングアーム５３ａ，５３ｂ，５６ａ，５６ｂにはチャッキングヘッド５４ａ，５４ｂ，５７ａ，５７ｂが設けられ、これらチャッキングヘッド５４ａ，５４ｂ，５７ａ，５７ｂに狭持されてロール原紙が装填される。ロール原紙はミルロールスタンド４１の機外から搬送レール５８，５９上を走行する搬送台車６０によりミルロールスタンド４１内に搬入されるとともに、使用済みロール原紙も該搬送台車６０によってミルロールスタンド４１外へと搬出される。ここでコルゲートマシン４０及びミルロールスタンド４１から見たロール原紙の生産上の装填順の関連付けを説明すると、図１１において例えばミルロールスタンド４１のチャッキングアーム５３ａ，５３ｂに装架されるロール原紙６１は現在コルゲートマシン４０内に繰り出し中の現ロットのロール原紙で、チャッキングアーム５６ａ，５６ｂに装架されるロール原紙６２はすでにスプライサ４２にセットが完了している次ロットのロール原紙である。その後、ロットチェンジに伴いスプライサ４２で紙継ぎが行われると、ロール原紙６２が現ロットとなってコルゲートマシン４０内に繰り出されることになり、ロール原紙６１は使用済みロール原紙となってミルロールスタンド４１外へと排出される。ここで前述した図１０に開示及び説明したロール原紙準備作業が行われることになるが、ロール原紙６２が現ロットで繰り出し中のロール原紙の場合には、図１１おいてロール原紙６３が次にミルロールスタンド４１に装填しなければならないロール原紙となり、オペレータは当該ロール原紙６３をミルロールスタンド４１への装填及びスプライサ４２へのセットを優先的に行う。そして、ミルロールスタンド４１外に事前に並べられるロール原紙は、ロール原紙６４、ロール原紙６５、ロール原紙６６の順にミルロールスタンド４１内に搬入される。
【０００７】
【発明が解決しようとする課題】
上述の作業は、オペレータの裁量で行われる場合が多く、ときとして例えば小口ロットの生産時にはロール原紙の装填及びスプライサへのセット作業が間に合わず、これらの状況のときにはコルゲートマシンの生産速度を落として対応しなければならなかった。また、単純作業の繰り返しによる作業効率の低下や、思いこみ等による作業のミスなど、いわゆるヒューマンエラー的なミスも発生していた。そこで、これらの問題を解決して、オペレータに紙替え準備作業を急がせる動機付けの装置として、本出願人は実願平２−７２０１０を出願している。当該考案は図９に示すように、コルゲートマシン４０の生産で当該ロットにおける予定生産長から生産済み長を減算し、カッタ４８部からスプライサ４２までのライン滞留長（図９においては「Ａ」に相当する距離）及びスプライサ４２内部の継ぎ部までのスプライス滞留長（図９においては「Ｂ」に相当する距離）を減算し、該スプライサ４２の紙継ぎ部から繰り出し中の紙替え時点までの残生産長を求めて、コルゲートマシン４０のライン生産速度から紙替え時点までの残時間を生産管理装置４９で算出して、該紙替え残時間が予め設定した値に達したときにオペレータに紙替え手前である旨を各制御装置５０ａ，５０ｂ，５０ｃ，５０ｄ，５０ｅが判断して各報知装置４３ａ，４３ｂ，４３ｃ，４３ｄ，４３ｅで報知させるとともに、現ロットの残長における残時間に対して、次ロットのロール原紙のミルロールスタンド４１への装填作業及びスプライサ４２へのセット作業の標準作業時間とを比較し、当該標準作業時間が紙替え算時間より短いときにコルゲートマシン４０の生産速度を減速させるための減速信号を出力するものである。
【０００８】
しかし、当該考案の装置においても、オペレータには紙替え手前である旨の報知を行うものではあるが、当該報知は上述したようにコルゲートマシン４０で現ロットの生産がある程度進行して、該ロットの生産が残り少なくなったときに当該報知を行うものであり、受動的な管理を行う装置である。また、当該報知が発せられた後はオペレータは当該報知発信部のロール原紙準備作業を行うことになるが、ときとして紙替え残時間に対して当該ロール原紙準備作業が間に合わないこともあり、このように間に合わない場合はコルゲートマシンの生産速度を落とすことになる。そして、最悪のケースではコルゲートマシンを停止せざるを得ない状況が発生することになる。コルゲートマシンは生産ライン機械であることから、生産速度の増減速は生産性及び品質に多大な影響を与えることとなる。また、コルゲートマシンの停止は生産性及び品質に対して致命的で、一度コルゲートマシンを停止させると、コルゲートマシンが定速生産に戻るまでに大量のロスシートが発生することになる。
【０００９】
さらには、当該考案の報知装置及び生産管理装置では、該報知装置及び生産管理装置は生産管理装置４９が時系列的に発する指令に対し、個々の制御装置５０がそれぞれのミルロールスタンド４１及びスプライサ４２での生産及びロール原紙の準備作業しか判断していない。従って、多数のミルロールスタンド４１及びスプライサ４２部で一斉に報知装置４３が報知を発すると、オペレータはその対処ができず結果的にはコルゲートマシンの生産速度を落とすか、停止をせざるを得ない。
【００１０】
本発明は、上述した各種の課題を解決するコルゲートマシンの紙継ぎ部におけるロール原紙準備作業の優先順を演算して出力する手段を提供するものである。
【００１１】
【課題を解決するための手段】
前述の課題を克服し、所期の目的を好適に達成するために本発明は、連続する段ボールシートを生産するコルゲートマシン内にロール原紙を繰り出すミルロールスタンドと、該ミルロールスタンドに対設配置されミルロールスタンドから繰り出されるロール原紙を紙継ぎするスプライサがそれぞれ複数台配設されるコルゲートマシンにおいて、該各ミルロールスタンド及びスプライサに装填されているロール原紙のロール原紙残長又はロール原紙長と、該各ミルロールスタンド及びスプライサに装填されているロール原紙に対応するコルゲートマシンで生産される段ボールシートのロット残長又はロット長とから、所望の時点以降の該各ミルロールスタンド及びスプライサにおける未装填ロール原紙のうち最初に使用される未装填ロール原紙に紙継ぎを行うまでの原紙準備残長を算出して、該原紙準備残長の算出結果値の短い順に基づいて各ミルロールスタンド部及びスプライサ部における該ロール原紙準備優先順を出力するコルゲートマシンのロール原紙準備優先順出力装置である。
【００１２】
【発明の実施の形態】
次に、本発明にかかるコルゲートマシンのロール原紙準備優先順出力装置について、好適な実施例を挙げて、添付図面を参照しながら以下説明する。図１は本発明の概要を好適に表した図で、コルゲートマシン１の上流側部の機械的構成及びその作用は従来と変わらないため詳述は行わないが、その基本的構成のみ説明すると、コルゲートマシン１の上流側部には複数台のミルロールスタンド２ａ，２ｂ，２ｃ，２ｄ，２ｅと該ミルロールスタンドに対設して複数台のスプライサ３ａ，３ｂ，３ｃ，３ｄ，３ｅが配設される。そして、それぞれのミルロールスタンド２ａ，２ｂ，２ｃ，２ｄ，２ｅにはそれぞれロール原紙Ｓ１，Ｓ２，Ｓ３，Ｓ４，Ｓ５，Ｓ６，Ｓ７，Ｓ８，Ｓ９，Ｓ１０が装填され、それぞれ対応するスプライサ３ａ，３ｂ，３ｃ，３ｄ，３ｅにセットされる。また、連続する片面段ボールシートを製造するシングルフェーサ４ａ，４ｂも従来と同様２基配設され、それぞれのミルロールスタンド２から繰り出し供給されるロール原紙を片面段ボールシートに製造する。
【００１３】
ここで、コルゲートマシンの構成上上流側シングルフェーサ４ａは片面段ボールシートの段高さの比較的高い主にＡフルートと称する段種を製造する片面段ボールシート製造用のシングルフェーサが配設される場合が多く、本発明では上流側シングルフェーサ４ａに対応する制御中継装置を「ＡＦ部制御中継装置（図面上の符号は６とする）」と称して説明し、下流側シングルフェーサ４ｂは片面段ボールシートの段高さが上述の上流側シングルフェーサで製造されるその段種が比較的高い主にＡフルートと称する段種よりも低い段種であるＢフルートと称する段種の片面段ボールシートを製造する片面段ボールシート製造用のシングルフェーサが配設される場合が多く、本発明では下流側シングルフェーサ４ｂに対応する制御中継装置を「ＢＦ部制御中継装置（図面上の符号は１１とする）」と称して説明する。そして、コルゲートマシン１に配設されるミルロールスタンド２の内、最下流部に配設されるバックライナ用ミルロールスタンド２ｅはシングルフェーサ４を経ることなく直接図示しないダブルフェーサに供給されることから、当該ミルロールスタンド２ｅに対応する制御中継装置を「ＤＦ部制御中継装置（図面上の符号は１６とする）」と称して説明する。
【００１４】
続いて、当該発明のコルゲートマシンのロール原紙準備優先順出力装置にかかる構成について説明する。当該発明の構成は、図１にその概要を示すように、生産管理装置５はコルゲートマシンの特性と各種制御便宜上から、各々上述したＡＦ部制御中継装置６とＢＦ部制御中継装置１１及びＤＦ部制御中継装置１６を介して各機械制御装置９，１０，１４，１５，１８と連動する。そして、上流側シングルフェーサ４ａにロール原紙Ｓを繰り出して片面段ボールシートを生産するためのミルロールスタンド２ａ，２ｂ及び該ミルロールスタンド２ａ，２ｂに対設されるスプライサ３ａ，３ｂのそれぞれの制御装置９，１０は該ＡＦ部制御中継装置６にロール原紙残長を残長信号として送信するとともに、ミルロールスタンド２ａ，２ｂ及びスプライサ３ａ，３ｂにおけるロール原紙装填の準備完了信号を送信する。また、該制御装置９，１０へは該ＡＦ部制御中継装置６を経由してスプライス信号を送信する。なお、具体的には、ロール原紙残長は例えばロール原紙に貼付された該ロール残長が記録されたバーコードシールのロール原紙残長値を読み取ったり、ロール原紙をミルロールスタンドに装填後、ロール原紙の直径及び紙質等からロール原紙残長値を算出したり、さらには、オペレータが直接的にロール原紙残長値を入力したりして特定する。そして、更に、ミルロールスタンド等に設けられた回転パルスジェネレータ等の回転パルスを計測しつつ繰り出し長を減算したり、もしくは本出願人による特願昭５７―３８４２５号（発明：ロールシートの残長測定方法）による計測が用いられて繰り出し中の実残長値が認知される。このようにして、該各制御装置９，１０はＡＦ部制御中継装置６を経由して生産管理装置５に時々刻々と残長信号を送信しながら、該ミルロールスタンド２ａ，２ｂ及びスプライサ３ａ，３ｂで次ロットのロール原紙準備が完了したときに、該準備完了信号をＡＦ部制御中継装置６を介して当該準備完了信号を生産管理装置５に送信することになる。ここで、生産管理装置５はＡＦ部制御中継装置６を介して該準備完了信号を受けて上流側シングルフェーサ４ａにロール原紙Ｓを供給するミルロールスタンド２ａ，２ｂ及びスプライサ３ａ，３ｂのそれぞれが次ロットの生産のための準備を完了した旨を判断する。その後、現ロットの予定生産長になったとき、即ち現ロット残長が零になったときに生産管理装置５がスプライス信号をＡＦ部制御中継装置６を介して各制御装置９，１０に送信し、各スプライサ３ａ，３ｂで紙継ぎが行われる。
【００１５】
同様に、下流側シングルフェーサ４ｂにロール原紙Ｓを繰り出して片面段ボールシートを生産するためのミルロールスタンド２ｃ，２ｄ及び該ミルロールスタンド２ｃ，２ｄに対設されるスプライサ３ｃ，３ｄのそれぞれの制御装置１４，１５は該ＢＦ部制御中継装置１１にロール原紙残長を残長信号として送信するとともに、ミルロールスタンド２ｃ，２ｄ及びスプライサ３ｃ，３ｄにおけるロール原紙装填の準備完了信号を送信し、また、逆方向にスプライス信号が送信される。従って、該各制御装置１４，１５はＢＦ部制御中継装置１１を経由して生産管理装置５に時々刻々と残長信号を送信しながら、該ミルロールスタンド２ｃ，２ｄ及びスプライサ３ｃ，３ｄで次ロットのロール原紙準備が完了したときに、該準備完了信号をＢＦ部制御中継装置１１を介して当該準備完了信号を生産管理装置５に送信することになる。ここで、生産管理装置５はＢＦ部制御中継装置１１を介して該準備完了信号を受けて下流側シングルフェーサ４ｂにロール原紙Ｓを供給するミルロールスタンド２ｃ，２ｄ及びスプライサ３ｃ，３ｄのそれぞれが次ロットの生産のための準備を完了した旨を判断する。その後、現ロットの予定生産長になったときに生産管理装置５がスプライス信号をＢＦ部制御中継装置１１を介して各制御装置１４，１５に送信し、各スプライサ３ｃ，３ｄで紙継ぎが行われる。
【００１６】
さらには、上記と同様にバックライナ用のロール原紙Ｓを繰り出すミルロールスタンド２ｅ及び該ミルロールスタンド２ｅに対設されるスプライサ３ｅの制御装置１８は該ＤＦ部制御中継装置１６にロール原紙残長を残長信号として送信するとともに、ミルロールスタンド２ｅ及びスプライサ３ｅにおけるロール原紙装填の準備完了信号を送信し、また、逆方向にスプライス信号が送信される。そして、各制御中継装置６，１１，１６を経由した各ロール残長信号やロール準備装填完了信号は生産管理装置５へ送信される。従って、該各制御装置１８はＤＦ部制御中継装置１６を経由して生産管理装置５に時々刻々と残長信号を送信しながら、該ミルロールスタンド２ｅ及びスプライサ３ｅで次ロットのロール原紙準備が完了したときに、該準備完了信号をＤＦ部制御中継装置１６を介して当該準備完了信号を生産管理装置５に送信することになる。ここで、生産管理装置５はＤＦ部制御中継装置１６を介して該準備完了信号を受けて図示しないダブルフェーサにロール原紙Ｓを供給するミルロールスタンド２ｅ及びスプライサ３ｅのそれぞれが次ロットの生産のための準備を完了した旨を判断する。その後、現ロットの予定生産長になったときに生産管理装置５がスプライス信号をＤＦ部制御中継装置１６を介して制御装置１８に送信し、各スプライサ３ｅで紙継ぎが行われる。
【００１７】
なお、上述の各制御装置９，１０，１４，１５，１８においてロール原紙の準備完了信号は、オペレータによる準備完了釦によってもよいが本発明では各ミルロールスタンド２やスプライサ３はロール原紙装填の準備が半自動化されているため、スプライサ３のスプライスヘッドがロール原紙端を装填して所定の紙継ぎ位置に位置決め完了したときに当該準備完了信号を送信し、各制御中継装置６，１１，１６を介して生産管理装置５に送信することになる。また、生産管理装置５では当該次ロットのロール原紙準備完了信号を受けるまでは、当該ミルロールスタンド２及びスプライサ３で次ロール原紙の準備が完了していないものと認識して、ロール原紙準備優先順を算出することになる。
【００１８】
そして、後述する生産管理装置５により演算処理された結果に伴うロール原紙準備優先順を出力する手段として上流側シングルフェーサ４ａの各ミルロールスタンド２ａ，２ｂ及びスプライサ３ａ，３ｂにはそれぞれＡＦＬ優先順出力装置７とＡＦＭ優先順出力装置８がそれぞれＡＦ部制御中継装置６から優先順信号を受ける構成で設置され、同様に下流側シングルフェーサ４ｂの各ミルロールスタンド２ｃ，２ｄ及びスプライサ３ｃ，３ｄにはそれぞれＢＦＬ優先順出力装置１２とＢＦＭ優先順出力装置１３がそれぞれＢＦ部制御中継装置１１から優先順信号を受ける構成で設置され、そして、図示しないダブルフェーサに向けてロール原紙を供給するミルロールスタンド２ｅ及びスプライサ３ｅにはＤＦＬ優先順出力装置１７がＤＦ部制御中継装置１６から優先順信号を受ける構成で設置される。
【００１９】
ここで優先順出力装置は電気的又は機械的な数字による表示や液晶による数字の表示、またはテレビモニタ上への数字の表示等など電気的又は機械的な多種の表示であり、オペレータが一目して当該優先順を把握できるものであれば、いずれのものであってもよい。具体的には、図２乃至図４に示すような装置等が用いられる。図２は架台２０上に機台２１を介してロール原紙準備優先順出力装置１９が設けられた実施例である。該ロール原紙準備優先順出力装置１９は複数段のロール原紙準備優先順出力器２２，２３，２４，２５，２６からなる。該ロール原紙準備優先順出力器２２，２３，２４，２５，２６は例えば電気的な表示灯又は回転表示灯であって、該ロール原紙準備優先順出力器２２，２３，２４，２５，２６のそれぞれにロール原紙準備優先順を出力する表示２２ａ，２３ａ，２４ａ，２５ａ，２６ａ（図２中では１，２，３，４，５の数字が該当）が付与されている。該ロール原紙準備優先順出力装置１９はそれぞれのスプライサ３又はミルロールスタンド２等の近傍に配設される。そして、上述した生産管理装置５からの指令を受けてコルゲートマシン１全体における当該ミルロールスタンド及びスプライサが他のミルロールスタンド及びスプライサとの関係においていずれの優先順であるかを出力する。即ち、コルゲートマシン１において当該ミルロールスタンド及びスプライサが他のミルロールスタンド２及びスプライサ３に対してロール原紙準備優先順が３番目であれば、該ロール原紙準備優先順出力装置１９のロール原紙準備優先順出力器２４部が点灯回転し、オペレータが当該ロール原紙準備優先順出力器２４部の表示２４ａに表示された数字「３」を確認することができる。なお、架台２０はスプライサ３等であってもよい。このロール原紙準備優先順出力器１９において、コルゲートマシン１での生産が進行し、ロット又はオーダーが代われば各ロール原紙準備優先順はそれぞれロット又はオーダーの進行に伴い繰り上がり、割り込みロット等が発生すれば該割り込みロット又はオーダーに伴ってロール原紙準備優先順が変更されることになる。
【００２０】
図３に示す実施例は、架台２８上に機台２９を介してロール原紙準備優先順出力装置２７が設けられた実施例である。該ロール原紙準備優先順出力装置２７はフレーム３０内に複数段のロール原紙準備優先順出力器３１，３２からなる。該ロール原紙準備優先順出力器３１，３２は例えばデジタル表示器であって、該ロール原紙準備優先順出力器３１，３２のそれぞれにロール原紙準備優先順を出力する表示３１ａ，３２ａ（図３中では「１」，「２」の数字が該当）が付与されている。該ロール原紙準備優先順出力装置２７はそれぞれのスプライサ３又はミルロールスタンド２等の近傍に配設される。そして、上述した生産管理装置５からの指令を受けてコルゲートマシン１全体における当該ミルロールスタンド及びスプライサが他のミルロールスタンド及びスプライサとの関係においていずれの優先順であるかを出力する。即ち、コルゲートマシン１において当該ミルロールスタンド及びスプライサが他のミルロールスタンド２及びスプライサ３に対してロール原紙準備優先順が１番目であれば、該ロール原紙準備優先順出力装置２７のロール原紙準備優先順出力器３１部が数字「１」を表示し、オペレータが当該ロール原紙準備優先順出力器３１部の表示３１ａに表示された数字「１」を確認することができる。なお、図３に示すロール原紙準備優先順出力器は上下２段の出力器であるが、２段以上の出力器であってもよい。また、架台２８はスプライサ３等であってもよい。このロール原紙準備優先順出力器２７において、コルゲートマシン１での生産が進行し、ロット又はオーダーが代われば各ロール原紙準備優先順はそれぞれロット又はオーダーの進行に伴い繰り上がり、割り込みロット等が発生すれば該割り込みロット又はオーダーに伴ってロール原紙準備優先順が変更されることになる。
【００２１】
図４に示す実施例は、コルゲートマシン１のいずれか１箇所またはコルゲートマシン１以外で例えば工場の壁面等に設けられるロール原紙準備優先順出力装置３３の実施例である。該ロール原紙準備優先順出力装置３３は上述した図２又は図３等の各ミルロールスタンド２又はスプライサ３に個々に配設されるロール原紙準備優先順出力装置１９，２７とは異なり、コルゲートマシン１内又はその近傍に少なくとも１箇所設置される集中的なロール原紙準備優先順出力装置３３である。該ロール原紙準備優先順出力装置３３は一種のボード状の出力装置であって、該出力装置３３内に各ミルロールスタンド２及びスプライサ３に対応する位置表示部３４，３５，３６，３７，３８（図４中ではＡＦＬ，ＡＦＭ，ＢＦＬ，ＢＦＭ，ＤＦＬ）が設けられ、該位置表示部３４，３５，３６，３７，３８にそれぞれ対応するロール原紙準備優先順出力表示部３９が設けられる。該ロール原紙準備優先順出力表示部３９は少なくとも一列の出力表示部３９ａがあればよいが、コルゲートマシン１における複雑な生産形態に対応するために、図４中に示すように二列又は図示はしないが複数列の出力表示部３９ａ，３９ｂから構成されるようにしてもよい。そして、該ロール原紙準備優先順出力装置３３の出力表示部３９は例えば電気的なデジタル表示器や機械的な表示器であって、該ロール原紙準備優先順出力器３９にロール原紙準備優先順を出力する表示を行う。当該ロール原紙準備優先順出力器３９において上述した生産管理装置５からの指令を受けてコルゲートマシン１全体における各ミルロールスタンド及びスプライサのロール原紙準備優先順を出力する。即ち、図４に開示する実施例では、コルゲートマシン１においてＡフルート用ライナ（ＡＦＬ）のロール原紙を装填するミルロールスタンド及びスプライサでは該ロール原紙準備優先順は２番目と５番目を出力しており、Ａフルート用中芯（ＡＦＭ）のロール原紙を装填するミルロールスタンド及びスプライサでは該ロール原紙準備優先順は３番目を出力していることになる。このロール原紙準備優先順出力器３９において、コルゲートマシン１での生産が進行し、ロット又はオーダーが代われば各ロール原紙準備優先順はそれぞれロット又はオーダーの進行に伴い繰り上がり、割り込みロット等が発生すれば該割り込みロット又はオーダーに伴ってロール原紙準備優先順が変更されることになる。
【００２２】
なお、当該優先順出力装置は、上述した各種の電気的又は機械的な数字による表示や液晶による数字の表示、又はテレビモニタ上への数字の表示等など以外に、音や音声等による出力であっても良い。具体的には、例えば各ミルロールスタンド２及びスプライサ３部に個々に設けられた音を発するスピーカ等を設けて、当該優先順が来たときに音楽やサイレン又は音声による指令を発しても良い。また、コルゲートマシンのいずれか一箇所又は複数箇所に音声発信器等を設けて、当該音声発信器等から各ミルロールスタンド２及びスプライサ３の具体的なロール原紙準備優先順を報知するようにしてもよい。このようにすれば、オペレータは目視による確認をすることなく、オペレータはコルゲートマシンの近辺にいるだけでロール原紙準備優先順を知ることができる。
【００２３】
次に、生産管理装置におけるコルゲートマシンのロール原紙準備優先順決定にかかる判断及びその出力について説明する。生産管理装置５が上述したように、ミルロールスタンドへの次ロール原紙装填準備の有無を前提に、当該生産中の現原紙残長を各ミルロールスタンド及びスプライサ制御装置９，１０，１４，１５，１８が各制御中継装置６，１１，１６を介して生産管理装置５に送信して、該コルゲートマシンにおける該現ロット残長に対する現原紙残長、及び次ロット長に対する次原紙長等からロール原紙準備優先順を判断する。そして、各制御中継装置６，１１，１６を介して各ミルロールスタンド及びスプライサ制御装置９，１０，１４，１５，１８及び各優先順出力装置７，８，１２，１３，１７に出力する。そして、該各ミルロールスタンド及びスプライサ制御装置９，１０，１４，１５，１８からの次ロール原紙準備完了信号を受けて、当該時点におけるロール原紙準備優先順出力制御を実行し、ロール原紙準備優先順出力を更新制御する。このようにして、当該ロール原紙残長と現ロットの生産残長の生産管理とともに次原紙の準備完了管理も行っている。即ち、それぞれ条件が異なる各ミルロールスタンド及びスプライサにおいて問題なく許容できる最大の残長値に対して、個々のミルロールスタンド及びスプライサでの優先順が求められることになる。従って、ロール原紙準備優先順を確定させるためには、それぞれ条件が異なる各ミルロールスタンド及びスプライサでの判断指標となる前記概念の原紙準備残長Ｚを算出することが必要となる。そして、各ミルロールスタンド及びスプライサで該原紙準備残長Ｚを算出して、生産管理装置５にて各ミルロールスタンド及びスプライサでの原紙準備残長Ｚを比較して、当該原紙準備残長Ｚの短い値を最優先順とし、これに続く原紙準備残長Ｚの短いものを後続の優先順と設定する。
【００２４】
該原紙準備残長Ｚを算出する設定は、図５に示すとともに、主に以下の６つの設定に大別することができる。第１の設定は、ミルロールスタンド２において次ロール原紙が全く装填されていない場合である。即ち、ミルロールスタンド２の一方のチャッキングアームに現ロットの繰り出し中ロール原紙しか装填されておらず、ミルロールスタンド２の他方のチャッキングアームにはロール原紙が全く装填されていない状態である。このときは供給原紙残長と現ロット残長を比較していずれか短い方の残長を原紙準備残長Ｚとする。第２の設定は、ミルロールスタンド２において次ロール原紙はすでに装填されており、現在コルゲートマシン内に原紙を繰り出し中の供給ロール原紙残長が現ロット残長よりも短い場合である。即ち、ミルロールスタンド２の一方のチャッキングアームに装填されている現ロット繰り出し中のロール原紙の残長が現ロット残長よりも短いが、すでに他方のチャッキングアームには次ロール原紙が装填されている状態で、いつでも現ロール原紙から次ロール原紙に紙継ぎができる状態である。このときはを現ロット残長を原紙準備残長Ｚとする。第３の設定は、ミルロールスタンド２において次ロール原紙はすでに装填されており、現在コルゲートマシン内に原紙を繰り出し中の供給ロール原紙残長が現ロット残長よりも長い場合で、かつ待機ロール原紙長が次ロット長よりも長い場合である。即ち、ミルロールスタンド２の一方のチャッキングアームに装填されている現ロット繰り出し中のロール原紙の残長が現ロット残長よりも長く、かつすでに他方のチャッキングアームには次ロール原紙が装填されている状態で、いつでも現ロール原紙から次ロール原紙に紙継ぎができる状態であり、待機ロール原紙長が次ロット長よりも長い場合であるため、次ロット生産完了まで次ロール原紙で生産が行えるような場合である。このときは現ロット残長に次ロット長を加算した長さを原紙準備残長Ｚとする。第４の設定は、ミルロールスタンド２において次ロール原紙はすでに装填されており、現在コルゲートマシン内に原紙を繰り出し中の供給ロール原紙残長が現ロット残長よりも長い場合で、かつ待機ロール原紙長が次ロット長よりも短い場合である。即ち、ミルロールスタンド２の一方のチャッキングアームに装填されている現ロット繰り出し中のロール原紙の残長が現ロット残長よりも長く、かつすでに他方のチャッキングアームには次ロール原紙が装填されている状態で、いつでも現ロール原紙から次ロール原紙に紙継ぎができる状態であるが、待機ロール原紙長が次ロット長よりも短い場合であるため、次ロット生産完了までに次ロール原紙の次のロール原紙を装填しなければならないような場合である。このときはを現ロット残長に待機ロール原紙長を加算した長さを原紙準備残長Ｚとする。第５の設定は、ミルロールスタンド２において次ロール原紙はすでに装填されており、現在コルゲートマシン内に原紙を繰り出し中の供給ロール原紙残長が現ロット残長よりも短い場合で、かつ待機ロール原紙長が現ロール原紙から紙継ぎ時点において継続した現ロット残長（継続ロット残長）よりも短い場合である。即ち、一つのロットの中で、いわゆる小巻ロール原紙を２回に渡って使用する場合で、ミルロールスタンド２の一方のチャッキングアームに装填されている現ロット繰り出し中のロール原紙の残長が現ロット残長よりも短く、かつすでに他方のチャッキングアームには次ロール原紙が装填されている状態で、いつでも現ロール原紙から次ロール原紙に紙継ぎができる状態であるが、紙継ぎ時点において待機ロール原紙長が継続した現ロット残長よりも短い場合であるため、継続したロット生産完了までに次ロール原紙の次のロール原紙を装填しなければならないような場合である。このときはを供給原紙残長に待機ロール原紙長を加算した長さを原紙準備残長Ｚとする。第６の設定は、ミルロールスタンド２において次ロール原紙はすでに装填されており、現在コルゲートマシン内に原紙を繰り出し中の供給ロール原紙残長が現ロット残長よりも短い場合で、かつ待機ロール原紙長が現ロール原紙から紙継ぎ時点において継続した現ロット残長（継続ロット残長）よりも長い場合である。即ち、一つのロットの中で、ロール原紙の紙継ぎが行われる場合で、ミルロールスタンド２の一方のチャッキングアームに装填されている現ロット繰り出し中のロール原紙の残長が現ロット残長よりも短く、かつすでに他方のチャッキングアームには次ロール原紙が装填されている状態で、いつでも現ロール原紙から次ロール原紙に紙継ぎができる状態であるが、紙継ぎ時点において待機ロール原紙長が継続した現ロット長よりも長く、継続したロット生産完了まで次ロール原紙で継続したロット生産を完了できる場合である。このときはをロット残長を原紙準備残長Ｚとする。なお、図５においては主要な６つの設定のみを開示したが、この設定はこれらに限られるものではなく、ミルロールスタンド及びスプライサ個々の動きや運用を含めてコルゲートマシン全体として種々の設定があり、かつ、次ロール原紙の条件までを見ているのではなく、次々ロール原紙やその先のロール原紙までをも予定に組み込んでミルロールスタンド２及びスプライサ３を含んだコルゲートマシン全体として生産管理装置５が管理することもできる。
【００２５】
以上のように、主に６つの設定を前提にして各ミルロールスタンド２及びスプライサ３が、いずれの設定に該当するかを生産管理装置５が判断する。そして、それぞれの設定におけるミルロールスタンド２及びスプライサ３が生産管理装置５によって原紙準備残長Ｚの短いものから順にロール原紙準備の優先順を決定する。生産管理装置５における当該ロール原紙準備の優先順を判断する理論を説明すると図６に示すように、まずミルロールスタンド２に次のロール原紙が装填されているか否かを判断する（図６中の「イ」）。そして、ミルロールスタンド２に次のロール原紙が装填されていなければ、繰り出し中の供給ロール原紙残長を計測して、供給ロール原紙残長と現ロット残長の対比よりいずれか短い残長を原紙準備残長Ｚとする（図６中の「ロ」）。具体的には、供給ロール原紙残長が短ければ供給ロール原紙残長を原紙準備残長Ｚ（図６中の「ニ」）とし、現ロット残長が短ければ現ロット残長を原紙準備残長Ｚとする（図６中の「ホ」）。即ち、ここでは図５における「設定１」を算出したことになる。
【００２６】
また、ミルロールスタンド２に次のロール原紙が装填されている場合は、繰り出し中の供給ロール原紙残長を計測して、供給ロール原紙残長と現ロット残長の対比よりいずれが短いかで原紙準備残長Ｚが変化する（図６中の「ハ」）。現ロット残長に対して供給ロール原紙残長が短ければ現ロット残長より早く供給ロール原紙残長が零となって紙替えされるが、すでに次ロール原紙が準備されているために次の待機原紙も使用して現ロット残長を消費でいるので、現在生産中のロット残長（図６中の「ホ」）を原紙準備残長Ｚとし、現ロット残長が短ければ現ロット残長に次の待機ロール原紙長を次ロット長へ代用することにして、次ロット長を加算した残長を原紙準備残長Ｚ（図６中の「ヘ」）とする。即ち、ここでは前者が図５における「設定２」を後者が図２における「設定３」他を算出したことになる。同様にして図５における「設定４」、「設定５」、「設定６」を上述のようにして生産管理装置５で各ミルロールスタンド２及びスプライサ３での状態を個別に判断し、これらミルロールスタンド２及びスプライサ３ごとの原紙準備残長Ｚの全体としてとらえて比較し、原紙準備残長Ｚが最も短いものから順に当該ロール原紙準備の優先順を決定する。
【００２７】
続いて、本発明のコルゲートマシンのロール原紙準備優先順出力装置における作用を説明する。例えばコルゲートマシンにおいて、図７におけるようなロットＡからロットＦへと続く段ボールシート生産があるとした場合に、現在ロットＡを生産している。ロットＡはＡフルート用ライナＡＦＬとＡフルート用中芯ＡＦＭとＢフルート用ライナＢＦＬとＢフルート用中芯ＢＦＭ及びバックライナＤＦＬを使用したいわゆるダブルウォールと呼ばれる複両面段ボールシートを生産しており、ロットＡ以降も引き続き複両面段ボールシートを生産するものとする。ロットＡからロットＢに紙幅変更等のロットチェンジが行われる際に、ここでは全てのロール原紙が交換される。ここでは全てのロール原紙が交換されるため、単純にＡフルート用ライナＡＦＬから順番にロール原紙を交換させるような作業としてもよいが、上述した本発明のコルゲートマシンのロール原紙準備優先順出力装置による制御を行うと生産管理装置５等では必然的に図７に示すようなＡフルート用ライナＡＦＬから順にその優先順が優先順出力装置７，８，１２，１３，１７に出力される。即ち、Ａフルート用ライナＡＦＬはコルゲートマシンにおいて最も上流側位置に配設されており、かつＡフルート用中芯ＡＦＭと比較しても、Ａフルート用中芯ＡＦＭはシングルフェーサ４ａで図示しない一対の段ロールに段繰りされるため、その分だけ中芯ＡＦＭはライナＡＦＬよりも余分にロール原紙を繰り出すことになり、紙継ぎ時期は遅くなる。従って、生産管理装置５内で演算される場合でもＡフルート用ライナＡＦＬの原紙準備残長Ｚが最も短くなり、バックライナＤＦＬの原紙準備残長が長くなる。
【００２８】
そして、ロットＡ以降の生産においては、ロットＢからロットＣに変わるときバックライナＤＦＬの紙替えが行われ、ロットＣからロットＤに変わるときＡフルート用ライナＡＦＬが変わることになる。続いて、ロットＤからロットＥに変わるときＡフルート用ライナＡＦＬとＡフルート用中芯ＡＦＭが変わり、ロットＥからロットＦに変わるときにＡフルート用ライナとＢフルート用ライナ及びＢフルート用ライナが変わる。これらの事例のコルゲートマシンのロール原紙準備優先順出力装置にて関する処理を述べると、生産管理装置５から各ＡＦ部制御中継装置６、ＢＦ部制御中継装置１１、ＤＦ部制御中継装置１６を経て各ミルロールスタンド及びスプライサ制御装置９，１０，１４，１５，１８に残長信号が送信される。そして、例えばいずれかのミルロールスタンド２において、各ミルロールスタンド制御装置９，１０，１４，１５，１８から次ロール原紙装填完了の信号が生産管理装置５に戻らない場合は、図５で示した「設定１」が条件付けられ、生産管理装置５ではミルロールスタンド２に待機ロール原紙がないものと判断して、供給ロール原紙残長又は現ロット残長のいずれか短い方が原紙準備残長として選択されることになる。また、いずれかのミルロールスタンド２及びスプライサに次ロール原紙がすでに完了しており、現ロット残長に対する供給ロール原紙残長、又は現ロット残長に対する供給ロール原紙残長及び待機ロール原紙長又は次ロット長等から図５を用いて説明した各設定条件によってそれぞれのミルロールスタンド２及びスプライサ３における原紙準備残長が求められ、コルゲートマシン全体における原紙準備残長の短い順にロール原紙準備優先順が確定する。このようにしてコルゲートマシン全体から見たミルロールスタンド２及びスプライサ３でのロール原紙準備優先順が確定すると、生産管理装置５は各ＡＦ部制御中継装置６、ＢＦ部制御中継装置１１、ＤＦ部制御中継装置１６を経てそれぞれの優先順出力装置７，８，１２，１３，１７にその優先順を出力させる。図７においては、ロットＡの生産時にロットＡ以降の生産を確定した場合は、ロットＢからロットＣに変わるときバックライナＤＦＬの紙替えに伴うロール原紙準備が第６の順となり、ロットＣからロットＤに変わるときＡフルート用ライナＡＦＬのロール原紙準備が第７の順となる。続いて、ロットＤからロットＥに変わるときＡフルート用ライナＡＦＬとＡフルート用中芯ＡＦＭのロール原紙準備がそれぞれ第８、第９の順となり、ロットＥからロットＦに変わるときにＡフルート用ライナとＢフルート用ライナ及びＢフルート用ライナのロール原紙準備がそれぞれ第１０、第１１、第１２の順となる。そして、それぞれの順は各ロットの生産完了とともに一つずつ順が繰り上がることになる。
【００２９】
次に、コルゲートマシンにおいて追加生産又はトラブル等が生じて一つのロットの生産が延びた場合に、後続の生産においてロール原紙の準備順が変更になる実施例について説明する。例えば図８に示すように、ロットＣの生産において追加生産等が生じ、当該ロットがαのように延長された場合、この延長に伴って例えばバックライナＤＦＬのロール原紙長が継続して予定数量の取れないことがある。この場合は例えばロットＥの途中で一度紙継ぎを行うように生産工程を変更するが、この場合はロットＥの途中でバックライナＤＦＬを交換するように変更したことに伴い、この紙継ぎに係るロール準備作業が当初予定されていた他のロール準備作業よりも先に発生することになるから、ロットＥの途中で発生するバックライナＤＦＬのロール原紙準備優先順が当初予定されていた他のロール原紙準備優先順よりも先となり、これに伴い当初予定されていた他のロール原紙準備優先順がそれぞれ繰り下がる順となる。即ち図８においてはロットＥの途中で発生するバックライナＤＦＬのロール原紙準備優先順が第１０の順となり、ロットＥからロットＦに変わるときにＡフルート用ライナとＢフルート用ライナ及びＢフルート用ライナのロール原紙準備がそれぞれ第１１、第１２、第１３の順となる。
【００３０】
なお、上述はいずれもミルロールスタンド及びスプライサに装填されているロール原紙のロール原紙残長又はロール原紙長と、該ミルロールスタンド及びスプライサに装填されているロール原紙に対応するコルゲートマシンで生産される段ボールシートのロット残長又はロット長等とから、その時点における以後の該ミルロールスタンド及びスプライサに装填する次に準備するロール原紙に紙継ぎを行うまでの原紙準備残長を算出して、該原紙準備残長の算出結果に基づいて各ミルロールスタンド部及びスプライサ部でのロール原紙準備優先順を決定して、該ロール原紙準備優先順を出力する実施例を開示して説明したが、本発明によるコルゲートマシンのロール原紙準備優先順出力装置ではこれらの実施例に限定されるものではなく、例えば当該原紙準備残長を原紙準備残時間に換算して、該原紙準備残時間を表示したり、又は該原紙準備残時間から各ミルロールスタンド部及びスプライサ部でのロール原紙準備優先順を決定して、該ロール原紙準備優先順を出力するようにしても良い。具体的には、上述の手段により算出された原紙準備残長を当該生産ロットに対する指定速度又は該指定速度の平均速度等で除ずることにより、原紙準備残時間が算出されることから、該原紙準備残時間を直接的に表示してもよいし、該原紙準備残時間に基づいて各ミルロールスタンド部及びスプライサ部でのロール原紙準備優先順を決定して、該ロール原紙準備優先順を出力するようにしてもよい。
【００３１】
【発明の効果】
本発明のコルゲートマシンのロール原紙準備優先順出力装置によれば、オペレータは優先順出力装置に表示されたロール原紙準備に伴う優先順を確認すれば、どのミルロールスタンド等におけるロール原紙の準備を優先的に行えばよいかが一目で把握でき、従来のようにオペレータの裁量や勝手な判断による作業を排除することができ、本来優先すべき箇所のロール原紙準備を怠ることに伴うコルゲートマシンの速度減速や停止を排除できる。従って、ロール原紙準備に伴うコルゲートマシンの増減速や停止による段ボールシートの品質低下や不良の発生は少なくなり、安定した品質の段ボールシートが生産できる。そして、オペレータは当該優先順に従って作業を行えばよいことから、無駄な動きを排除できるため、余剰人員を削減することも可能となる。また、オペレータはロール原紙準備に対してどのロール原紙から準備しなければならないかというような余計な判断が払拭でき、精神的に労力が軽減されると共に、優先順出力装置に表示される箇所のミルロールスタンド部にいってロール原紙準備を行えばよいことから、余分な動きをも排除でき肉体的な労力からも開放される。
【００３２】
さらには、従来のような単なる警報装置による警報やパトライト等の表示等ではなく、直接的にその優先順を表示するようにしたため、その優先順が一義的に判断ができる。また、生産ロット又はオーダーの変更や追加及びトラブル等が生じてもこれらの事項以降のロール原紙準備優先順を出力することができるため、オペレータが混乱することはない。さらには小口ロット又はオーダーが連続する生産形態においてもロール原紙準備の優先順が明確に出力されていることから、オペレータはその出力に従って確実に作業をすることができる。
【００３３】
そして、ロール原紙準備に伴う優先順が明確に出力されていることから、例えばオペレータに余裕があるときは、その優先順に従って前倒しでロール原紙準備を行うこともでき、コルゲートマシン全体の運転作業から見れば積極的な作業を行うことができる。
【図面の簡単な説明】
【図１】本発明のコルゲートマシンのロール原紙準備優先順出力装置を好適に表したコルゲートマシン上流側の側面図と制御構成図である。
【図２】回転表示灯等によるロール原紙準備優先順出力装置を表す図である。
【図３】デジタル表示器等によるロール原紙準備優先順出力装置を表す図である。
【図４】集中表示器等によるロール原紙準備優先順出力装置を表す図である。
【図５】ロール原紙準備の優先順を確定するための原紙準備残長を算出する条件設定を表す図である。
【図６】生産管理装置内におけるロール原紙準備の優先順を確定するための原紙準備残長を算出する制御フローチャートである。
【図７】本発明の作用を時系列的に表した作用図である。
【図８】追加等のイレギュラ事項が生じた場合に伴う本発明の作用を時系列的に表した作用図である。
【図９】従来のコルゲートマシンにおけるロール原紙準備警報及びその制御を表したコルゲートマシン図である。
【図１０】ロール原紙準備の作業内容を表した図である。
【図１１】ミルロールスタンドの構成と、ロール原紙の関係を表した平面図である。
【符号の説明】
１    コルゲートマシン          ２    ミルロールスタンド
３    スプライサ                ４    シングルフェーサ
５    生産管理装置              ６    ＡＦ部制御中継装置
７    ＡＦＬ優先順出力装置      ８    ＡＦＭ優先順出力装置
９    ＡＦ部ライナ制御装置      １０  ＡＦＭ部中芯制御装置
１１  ＢＦ部制御中継装置        １２  ＢＦＬ優先順出力装置
１３  ＢＦＭ優先順出力装置      １４  ＢＦ部ライナ制御装置
１５  ＢＦＭ部中芯制御装置      １６  ＤＦ部制御中継装置
１７  ＤＦＭ優先順出力装置      １８  ＤＦ部制御装置
【図１】
0003670626.tif 000002
【図２】
0003670626.tif 000003
【図３】
0003670626.tif 000004
【図４】
0003670626.tif 000005
【図５】
0003670626.tif 000006
【図６】
0003670626.tif 000007
【図７】
0003670626.tif 000008
【図８】
0003670626.tif 000009
【図９】
0003670626.tif 000010
【図１０】
0003670626.tif 000011
【図１１】
0003670626.tif 000012